(57)【特許請求の範囲】
【請求項１】
透明性の高い樹脂シートが用いられた透明なカードであり磁気テープも設けられた透明磁気カードにおいて、作製された透明磁気カードの表面側又は裏面側に８００ｎｍ〜１０００ｎｍの赤外線領域を吸収する染料を含有するインキ層が塗工されたことを特徴とする透明磁気カード。
【請求項２】
透明性の高い樹脂シートが用いられた透明なカードであり磁気テープも設けられた透明磁気カードにおいて、作製された透明磁気カードの表面側又は裏面側に６００ｎｍ〜８００ｎｍの可視領域〜赤外線領域を吸収する染料を含有する第一インキ層、及び表面側又は裏面側に８００ｎｍ〜１０００ｎｍの赤外線領域を吸収する染料を含有する第二インキ層が塗工されたことを特徴とする透明磁気カード。
【請求項３】
透明性の高い樹脂シートが用いられた透明なカードであり磁気テープも設けられた透明磁気カードにおいて、透明性の高い樹脂シートの表面側又は裏面側に、予め、８００ｎｍ〜１０００ｎｍの赤外線領域を吸収する染料を含有するインキ層が塗工されたことを特徴とする透明磁気カード。
【請求項４】
透明性の高い樹脂シートが用いられた透明なカードであり磁気テープも設けられた透明磁気カードにおいて、透明性の高い樹脂シートの表面側又は裏面側に、予め、６００ｎｍ〜８００ｎｍの可視領域〜赤外線領域を吸収する染料を含有する第一インキ層、及び表面側又は裏面側に８００ｎｍ〜１０００ｎｍの赤外線領域を吸収する染料を含有する第二インキ層が塗工されたことを特徴とする透明磁気カード。
【発明の詳細な説明】
【０００１】
【発明の属する技術分野】
本発明は、キャッシュカードやクレジットカード、各種会員証など厚手のカードに関するものであり、特に、カードが透明であることからカードとしてのデザイン性が高く、且つカードリーダーやＡＴＭなどの機械適性を有する透明磁気カードに関する。
【０００２】
【従来の技術】
従来から、キャッシュカードやクレジットカード、ＩＤカード等の分野においては磁気記録媒体が広く利用されており、その素材としては主にポリ塩化ビニル（ＰＶＣ）樹脂や塩化ビニル・酢酸ビニル共重合体が用いられており、特にポリ塩化ビニル樹脂が一般的である。
ポリ塩化ビニル樹脂は、物理的な機械特性や文字部のエンボス適性などが優れており、カード素材としては申し分なく最適な素材として現在も広く用いられている。
【０００３】
一般的なカードの製造方法は、白色の塩化ビニル（ＰＶＣ）基材にオフセット印刷、グラビア印刷、スクリーン印刷等公知の印刷方法で印刷を施し、その両面に透明性の高いＰＶＣシートを積層したのち磁気テープを転写し、加熱プレス機で熱融着によって一体化させ、所定サイズの金型で打ち抜いてカード形状にする方法である。
熱転写タイプの磁気テープは、転写後にはカード表面より浮き出て段差を生じているが、加熱プレス機での熱融着時には埋め込まれ、カード表面と面一となる。
【０００４】
このようなカードを利用する際のカードリーダライタやＡＴＭ、エンボッサーなどの磁気を読み書きする機械では、カードの透過率によってカードの有無や、磁気情報の書き込み開始位置などの検知を行っている。
このため、透明なカードもしくは透明性を有するカードを使用した場合、ＡＴＭなどの機械ではカードを検知できずにエラーが発生する。
よって、従来は、透明なカードもしくは透明性を有するカードは、磁気テープが設けられていない、すなわち、磁気情報を使用しない会員証や証明書などのカードに用途が限定されていた。
【０００５】
【発明が解決しようとする課題】
本発明は以上のような問題点に着目してなされたものであり、磁気テープが設けられ、磁気情報を使用する磁気カードにおいて、意匠性を向上させた、透明もしくは透明性を有する磁気カードであって、ＡＴＭなどの機械でカードの有無や、磁気情報の書き込み開始位置などが検知される、すなわち、ＡＴＭなどを利用できる透明磁気カードを提供することを課題とする。
【０００６】
【課題を解決するための手段】
本発明は、透明性の高い樹脂シートが用いられた透明なカードであり磁気テープも設けられた透明磁気カードにおいて、作製された透明磁気カードの表面側又は裏面側に８００ｎｍ〜１０００ｎｍの赤外線領域を吸収する染料を含有するインキ層が塗工されたことを特徴とする透明磁気カードである。
【０００７】
また、本発明は、透明性の高い樹脂シートが用いられた透明なカードであり磁気テープも設けられた透明磁気カードにおいて、作製された透明磁気カードの表面側又は裏面側に６００ｎｍ〜８００ｎｍの可視領域〜赤外線領域を吸収する染料を含有する第一インキ層、及び表面側又は裏面側に８００ｎｍ〜１０００ｎｍの赤外線領域を吸収する染料を含有する第二インキ層が塗工されたことを特徴とする透明磁気カードである。
【０００８】
また、本発明は、透明性の高い樹脂シートが用いられた透明なカードであり磁気テープも設けられた透明磁気カードにおいて、透明性の高い樹脂シートの表面側又は裏面側に、予め、８００ｎｍ〜１０００ｎｍの赤外線領域を吸収する染料を含有するインキ層が塗工されたことを特徴とする透明磁気カードである。
【０００９】
また、本発明は、透明性の高い樹脂シートが用いられた透明なカードであり磁気テープも設けられた透明磁気カードにおいて、透明性の高い樹脂シートの表面側又は裏面側に、予め、６００ｎｍ〜８００ｎｍの可視領域〜赤外線領域を吸収する染料を含有する第一インキ層、及び表面側又は裏面側に８００ｎｍ〜１０００ｎｍの赤外線領域を吸収する染料を含有する第二インキ層が塗工されたことを特徴とする透明磁気カードである。
【００１０】
【発明の実施の形態】
以下に本発明の実施の形態を詳細に説明する。
図１は、本発明による透明磁気カードの一実施例を示す断面図である。
図１に示すように、本発明による透明磁気カード（１）は、透明なカードであり磁気テープも設けられた透明磁気カードである。本発明による透明磁気カード（１）は、透明性の高い樹脂シートの透明センターコア（１０）の表面側上に、表面側印刷層（１１ａ）、表面側オーバーシート（１２ａ）、磁気テープ（１３）、８００ｎｍ〜１０００ｎｍの赤外線領域を吸収する染料を含有するインキ層（１４）、及び透明保護層（１５）が設けられ、また、透明センターコア（１０）の裏面側上に、裏面側印刷層（１１ｂ）、及び裏面側オーバーシート（１２ｂ）が設けられたものである。  ８００ｎｍ〜１０００ｎｍの赤外線領域を吸収する染料を含有するインキ層（１４）、及び透明保護層（１５）は、予め、作製された透明磁気カード（１６）の表面上に塗工されたものである。
【００１１】
透明センターコア（１０）の材料としては、例えば、ポリ塩化ビニル（ＰＶＣ）製の０．６５ｍｍ厚のものであり、ポリ塩化ビニル（ＰＶＣ）以外でも、例えば、ＰＥＴ−Ｇ（ポリエチレンテレフタレートにおけるエチレングリコール成分の３０％をシクロヘキサンジメタノールで置換した共重合ポリエステル樹脂）、アクリルニトリル−ブタジエン−スチレン共重合体樹脂（ＡＢＳ）など透明性の高い樹脂であれば使用可能である。
【００１２】
表面側印刷層（１１ａ）及び裏面側印刷層（１１ｂ）は、例えば、シルクスクリーン法により印刷された印刷層である。また、表面側オーバーシート（１２ａ）及び裏面側オーバーシート（１２ｂ）は、例えば、ポリ塩化ビニル（ＰＶＣ）製の０．０５ｍｍ厚のものである。
インキ層（１４）は、８００ｎｍ〜１０００ｎｍの赤外線領域を吸収する染料を含有するインキを用いて塗工されたインキ層である。図１において、このインキ層（１４）は、透明磁気カード（１６）の全面に塗工されているが、一部分に塗工されたものでもよい。
【００１３】
本発明による透明磁気カード（１）は、上記のような構成であるので、Ａ領域では８００ｎｍ以下の光は、点線矢印で示すように透過し、透明性を有する透明磁気カードとなる。すなわち、赤外線領域でカードを検知しているセンサーに対応し、透明性を確保しながらＡＴＭなどでの使用が可能となる。
【００１４】
図２は、本発明による透明磁気カードの他の例を示す断面図である。
図２に示すように、本発明による透明磁気カード（２）は、透明性の高い樹脂シートの透明センターコア（２０）の表面側上に、８００ｎｍ〜１０００ｎｍの赤外線領域を吸収する染料を含有する第二インキ層（２４ｂ）、６００ｎｍ〜８００ｎｍの赤外線領域を吸収する染料を含有する第一インキ層（２４ａ）、表面側印刷層（２１ａ）、表面側オーバーシート（２２ａ）、及び磁気テープ（２３）が設けられ、また、透明センターコア（２０）の裏面側上に、裏面側印刷層（２１ｂ）、及び裏面側オーバーシート（２２ｂ）が設けられたものである。
【００１５】
第二インキ層（２４ｂ）及び第一インキ層（２４ａ）は、予め、上記透明性の高い樹脂シートの原反の表面側に塗工されたインキ層である。第二インキ層（２４ｂ）は、８００ｎｍ〜１０００ｎｍの赤外線領域を吸収する染料を含有するインキを用い、第一インキ層（２４ａ）は、６００ｎｍ〜８００ｎｍの赤外線領域を吸収する染料を含有するインキを用いて塗工されたものである。
図２において、これらの第二インキ層（２４ｂ）及び第一インキ層（２４ａ）は、上記透明性の高い樹脂シートの原反の全面に塗工されているが、一部分に塗工されたものでもよい。
【００１６】
本発明による透明磁気カード（２）は、上記のような構成であるので、Ｂ領域では６００ｎｍ以下の光は、点線矢印で示すように透過し、透明性を有する透明磁気カードとなる。すなわち、可視光領域の一部及び赤外線領域でカードを検知しているセンサーに対応し、透明性を確保しながら機械適性を持つ透明磁気カードとなる。
【００１７】
図３は、本発明による透明磁気カードの別な他の例を示す断面図である。
図３に示すように、本発明による透明磁気カード（３）は、透明性の高い樹脂シートの透明センターコア（３０）の表面側上に、６００ｎｍ〜８００ｎｍの赤外線領域を吸収する染料を含有する第一インキ層（３４ａ）、表面側印刷層（３１ａ）、表面側オーバーシート（３２ａ）、及び磁気テープ（３３）が設けられ、また、透明センターコア（３０）の裏面側上に、８００ｎｍ〜１０００ｎｍの赤外線領域を吸収する染料を含有する第二インキ層（３４ｂ）、裏面側印刷層（３１ｂ）、及び裏面側オーバーシート（３２ｂ）が設けられたものである。
【００１８】
第一インキ層（３４ａ）は、予め、上記透明性の高い樹脂シートの原反の表面側に、また、第二インキ層（３４ｂ）は、上記透明性の高い樹脂シートの原反の裏面側に塗工されたインキ層である。第一インキ層（３４ａ）は、６００ｎｍ〜８００ｎｍの赤外線領域を吸収する染料を含有するインキを用い、第二インキ層（３４ｂ）は、８００ｎｍ〜１０００ｎｍの赤外線領域を吸収する染料を含有するインキを用いて塗工されたものである。
図３において、これらの第一インキ層（３４ａ）及び第二インキ層（３４ｂ）は、上記透明性の高い樹脂シートの原反の表面側及び裏面側の全面に塗工されているが、一部分に塗工されたものでもよい。
【００１９】
この透明磁気カードは、上記のような構成であるので、Ｃ領域では６００ｎｍ以下の光は、点線矢印で示すように透過し、透明性を有する透明磁気カードとなる。すなわち、可視光領域の一部及び赤外線領域でカードを検知しているセンサーに対応し、透明性を確保しながら機械適性を持つ透明磁気カードとなる。
【００２０】
従って、本発明による透明磁気カードは、無色な、もしくは有色であっても透明性を確保し、且つ、現行のカードリーダライタやＡＴＭ、エンボッサーなどの磁気を読み書きする機械側の改造をせずに、利用することが可能となる。
また、本発明による透明磁気カードは、無色な、もしくは有色であっても透明性を確保しているので、従来の磁気カードにはない意匠性を向上させたデザインを有する磁気カードが可能となる。
さらには、一般磁気カードの他に、例えば、カードの一部を透明にしたオーバープリント磁気カード、ＩＣカードなどにも使用が可能となるものである。
【００２１】
【発明の効果】
本発明は、透明性の高い樹脂シートが用いられて作製された、透明なカードであり磁気テープも設けられた透明磁気カードの表面側に８００ｎｍ〜１０００ｎｍの赤外線領域を吸収する染料を含有するインキ層を塗工することにより、透明もしくは透明性を有し意匠性を向上させ、且つ、赤外線領域でカードを検知しているセンサーに対応し、ＡＴＭなどの機械でカードの有無や、磁気情報の書き込み開始位置などが検知される、すなわち、ＡＴＭなどを利用できる透明磁気カードとなる。
【００２２】
また、本発明は、透明性の高い樹脂シートが用いられて作製された、透明なカードであり磁気テープも設けられた透明磁気カードの表面側に６００ｎｍ〜８００ｎｍの可視領域〜赤外線領域を吸収する染料を含有する第一インキ層、及び表面側又は裏面側に８００ｎｍ〜１０００ｎｍの赤外線領域を吸収する染料を含有する第二インキ層を塗工することにより、透明もしくは透明性を有し意匠性を向上させ、且つ、可視光領域の一部及び赤外線領域でカードを検知しているセンサーに対応した機械適性を持つ透明磁気カードとなる。
【００２３】
また、本発明は、予め、透明性の高い樹脂シートの原反の表面側に８００ｎｍ〜１０００ｎｍの赤外線領域を吸収する染料を含有するインキ層が塗工された透明性の高い樹脂シートが用いられることにより、透明もしくは透明性を有し意匠性を向上させ、且つ、赤外線領域でカードを検知しているセンサーに対応し、ＡＴＭなどの機械でカードの有無や、磁気情報の書き込み開始位置などが検知される、すなわち、ＡＴＭなどを利用できる透明磁気カードとなる。
【００２４】
また、本発明は、予め、透明性の高い樹脂シートの原反の表面側に６００ｎｍ〜８００ｎｍの可視領域〜赤外線領域を吸収する染料を含有する第一インキ層、及び表面側又は裏面側に８００ｎｍ〜１０００ｎｍの赤外線領域を吸収する染料を含有する第二インキ層が塗工された透明性の高い樹脂シートが用いられることのより、透明もしくは透明性を有し意匠性を向上させ、且つ、可視光領域の一部及び赤外線領域でカードを検知しているセンサーに対応した機械適性を持つ透明磁気カードとなる。
【図面の簡単な説明】
【図１】本発明による透明磁気カードの一実施例を示す断面図である。
【図２】本発明による透明磁気カードの他の例を示す断面図である。
【図３】本発明による透明磁気カードの別な他の例を示す断面図である。
【符号の説明】
１、２、３・・・本発明による透明磁気カード
１０、２０、３０・・・透明センターコア
１１ａ、２１ａ、３１ａ・・・表面側印刷層
１１ｂ、２１ｂ、３１ｂ・・・裏面側印刷層
１２ａ、２２ａ、３２ａ・・・表面側オーバーシート
１２ｂ、２２ｂ、３２ｂ・・・裏面側オーバーシート
１３、２３、３３・・・磁気テープ
１４・・・インキ層
１５・・・透明保護層
１６・・・透明磁気カード
２４ａ、３４ａ・・・第一インキ層
２４ｂ、３４ｂ・・・第二インキ層
【図１】
0003896766.tif 000002
【図２】
0003896766.tif 000003
【図３】
0003896766.tif 000004